(57)【特許請求の範囲】
【請求項１】
樹脂で形成されてヒンジを介して連結された第１部材と第２部材とを結合するロック機構であって、
前記第１部材に一体的に形成されたメス型係止部と、
前記第２部材に一体的に形成されて前記メス型係止部に挿入係止されるオス型係止部とを有し、
前記オス型係止部は、板状の係止片と、この係止片の先端縁部の板厚方向両面から突出すると共に前記先端縁部に沿った位置を互いに異ならせて形成された第１及び第２の係止爪とを備えてなり、
前記メス型係止部は、前記オス型係止部の係止片の先端縁部を収容するスリットを形成する所定間隔を空けて対向配置された第１及び第２の係止壁と、これら第１及び第２の係止壁をそれらの先端縁部から前記スリットを形成する距離だけ離れた位置で連結する連結部と、前記第１及び第２の係止壁の先端縁部の対向面に形成されて前記第１及び第２の係止爪と係合すると共に前記第１及び第２の係止壁の先端縁部に沿った位置を互いに異ならせて形成された第３及び第４の係止爪とを備え、
前記メス型係止部の第１及び第２の係止壁の先端縁部の両端の側面よりも前記連結部の側面が内側に位置していることを特徴とするロック機構。
【請求項２】
樹脂で形成されてヒンジを介して連結された第１部材と第２部材とを結合するロック機構であって、
前記第１部材に一体的に形成されたメス型係止部と、
前記第２部材に一体的に形成されて前記メス型係止部に挿入係止されるオス型係止部とを有し、
前記オス型係止部は、板状の係止片と、この係止片の先端縁部の板厚方向両面から突出すると共に前記先端縁部に沿った位置を互いに異ならせて形成された第１及び第２の係止爪とを備えてなり、
前記メス型係止部は、前記オス型係止部の係止片の先端縁部を収容するスリットを形成する所定間隔を空けて対向配置された第１及び第２の係止壁と、これら第１及び第２の係止壁をそれらの先端縁部から前記スリットを形成する距離だけ離れた位置で連結する連結部と、前記第１及び第２の係止壁の先端縁部の対向面に形成されて前記第１及び第２の係止爪と係合すると共に前記第１及び第２の係止壁の先端縁部に沿った位置を互いに異ならせて形成された第３及び第４の係止爪とを備え、
前記メス型係止部の第１及び第２の係止壁の先端縁部の両端における前記第３及び第４の係止爪の側面の少なくとも一部が前記先端縁部側から前記対向面側にかけて内側に傾斜していることを特徴とするロック機構。
【請求項３】
ワイヤーハーネスに外装され、一端がヒンジを介して連結され、他端に相互を結合するロック機構が形成されたプロテクタ本体及びカバーからなり、ワイヤーハーネスに外装されて前記ワイヤーハーネスを支持するプロテクタにおいて、
前記ロック機構は、
前記プロテクタ本体に一体的に形成されたメス型係止部と、
前記カバーに一体的に形成されて前記メス型係止部に挿入係止されるオス型係止部とを有し、
前記オス型係止部は、板状の係止片と、この係止片の先端縁部の板厚方向両面から突出すると共に前記先端縁部に沿った位置を互いに異ならせて形成された第１及び第２の係止爪とを備えてなり、
前記メス型係止部は、前記オス型係止部の係止片の先端縁部を収容するスリットを形成する所定間隔を空けて対向配置された第１及び第２の係止壁と、これら第１及び第２の係止壁をそれらの先端縁部から前記スリットを形成する距離だけ離れた位置で連結する連結部と、前記第１及び第２の係止壁の先端縁部の対向面に形成されて前記第１及び第２の係止爪と係合すると共に前記第１及び第２の係止壁の先端縁部に沿った位置を互いに異ならせて形成された第３及び第４の係止爪とを備え、
前記メス型係止部の第１及び第２の係止壁の先端縁部の両端の側面よりも前記連結部の側面が内側に位置していることを特徴とするプロテクタ。
【請求項４】
ワイヤーハーネスに外装され、一端がヒンジを介して連結され、他端に相互を結合するロック機構が形成されたプロテクタ本体及びカバーからなり、ワイヤーハーネスに外装されて前記ワイヤーハーネスを支持するプロテクタにおいて、
前記ロック機構は、
前記プロテクタ本体に一体的に形成されたメス型係止部と、
前記カバーに一体的に形成されて前記メス型係止部に挿入係止されるオス型係止部とを有し、
前記オス型係止部は、板状の係止片と、この係止片の先端縁部の板厚方向両面から突出すると共に前記先端縁部に沿った位置を互いに異ならせて形成された第１及び第２の係止爪とを備えてなり、
前記メス型係止部は、前記オス型係止部の係止片の先端縁部を収容するスリットを形成する所定間隔を空けて対向配置された第１及び第２の係止壁と、これら第１及び第２の係止壁をそれらの先端縁部から前記スリットを形成する距離だけ離れた位置で連結する連結部と、前記第１及び第２の係止壁の先端縁部の対向面に形成されて前記第１及び第２の係止爪と係合すると共に前記第１及び第２の係止壁の先端縁部に沿った位置を互いに異ならせて形成された第３及び第４の係止爪とを備え、
前記メス型係止部の第１及び第２の係止壁の先端縁部の両端における前記第３及び第４の係止爪の側面の少なくとも一部が前記先端縁部側から前記対向面側にかけて内側に傾斜していることを特徴とするプロテクタ。
【発明の詳細な説明】
【０００１】
【発明の属する技術分野】
この発明は、自動車用ワイヤーハーネス等を支持及び保護するプロテクタ等に使用されるロック機構及びそれを使用したプロテクタに関する。
【０００２】
【従来の技術】
ヒンジで連結された２つの樹脂部材をヒンジとは反対側の端部でロックする機構として、樹脂の弾性を利用して係止爪同士を結合するロック機構が一般に知られている。強い係止力を得るためには、係止爪の係合長さを樹脂部材の幅一杯に設定することが望まい。
【０００３】
従来より、このようなロック機構を備えたものとして、自動車用ワイヤーハーネスを車内に配索する際に使用される図４及び図５に示すようなプロテクタが知られている。このプロテクタ１は、図５に示すように、複数の太さの異なるワイヤーハーネス２，３に外装されるもので、ワイヤーハーネス２，３を支持するＵ字状のプロテクタ本体１０と、このプロテクタ本体１０の一端でヒンジ１１を介して連結されるカバー２０と、プロテクタ本体１０に突設されてプロテクタ１を図示しない車体に固定するためのアンカー３０と、プロテクタ本体１０及びカバー２０の他端に形成されて、これらを相互を結合するロック機構４０とを備えて構成され、全体が樹脂等により一体形成されている。
【０００４】
プロテクタ本体１０は、板状の支持部１２の両端に側壁１３，１４をそれぞれ立設してなる。支持部１２の上面にはワイヤーハーネス２，３を支持するほぼ円弧状の支持面１２ａ，１２ｂが形成されている。支持部１２の中央部には、これら支持面１２ａ，１２ｂを分離する突起１２ｃが形成されている。支持部１２の一方の側端面と、側壁１３の他方の側端面には、ワイヤーハーネス２，３を図示しない粘着テープとインシュロックタイとで固定する舌片１２ｄ，１３ａが延設されている。側壁１４は、後述するロック機構４０のメス型係止部４０ａを形成するため、所定間隔を空けて対向配置された内側係止壁１４ａ及び外側係止壁１４ｂと、これらを先端縁部から所定距離だけ奥の位置で連結する連結部１４ｃとを有する。これら係止壁１４ａ，１４ｂ及び連結部１４ｃで、カバー２０の先端部に形成されたオス型係止部４０ｂを収容するスリット１４ｄが形成されている。また、外側係止壁１４ｂの一方の側面には、ワイヤーハーネス２，３の延びる方向と直交する方向に張り出した張り出し部１４ｅが形成されている。
【０００５】
一方、カバー２０は、一端がヒンジ１１を介してプロテクタ本体１０の側壁１３の先端に回動自在に連結された板状のカバー本体２１と、このカバー本体２１の他端からプロテクタ本体１０側に延びる係止片２２とを備えて構成されている。
【０００６】
ロック機構４０は、プロテクタ本体１０の側壁１４の先端縁側に形成されたメス型係止部４０ａと、カバー２０の係止片２２の先端縁部に形成されたオス型係止部４０ｂとからなり、プロテクタ本体１０に対してカバー２０を閉じると、メス型係止部４０ａのスリット１４ｄにオス型係止部４０ｂが嵌合して両者が係止されるようになっている。
【０００７】
図６〜図８は、このロック機構４０を更に詳細に示す図で、図６は図５のＡ矢視図、図７は同じくＢ矢視図、図８は図６のＣ−Ｃ断面図である。オス型係止部４０ｂは、係止片２２の先端縁部の板厚方向両面から突出する内側係止爪４５及び外側係止爪４６を形成してなる。内側係止爪４５及び外側係止爪４６は、図８にも示すように、その幅が係止片２２の幅（図４のＤ）のほぼ１／２で、幅方向にずれた位置にそれぞれ形成されている。一方のメス型係止部４０ａは、これら係止爪４５，４６とそれぞれ係合する内側係止壁１４ａに形成された係止爪４１と外側係止壁１４ｂに形成された係止爪４３とを有し、これら係止爪４１，４３も係止壁１４ａ，１４ｂの幅Ｄのほぼ１／２の長さを有し、幅方向にずれた位置にそれぞれ形成されている。そして、これら係止爪４１，４３と、これらに対向する対向面４２，４４とでオス型係止部４０ｂを挟み込むようにしてメス型係止部４０ａとオス型係止部４０ｂとがロックされる。
【０００８】
このように、係止爪を係止爪４５と４６とに分割し、係止片２２の内側と外側とに設けると共に、両係止爪４５，４６の位置を係止片２２の幅方向にずらすことにより、十分な係合力を確保しつつ、カバー２０が図６の矢印Ｅで示す係止片２２の幅方向にずれてスリット１４ｄから外れるのを防止することができる。
【０００９】
【発明が解決しようとする課題】
しかしながら、このように構成されたロック機構の場合、Ｅ方向のずれを防止でき、十分な係合力を得ることができるものの、メス型係止部４０ａとオス型係止部４０ｂとが隙間無く係合されるため、ロックが外し難いという問題がある。
【００１０】
本発明は、上記問題点に鑑みなされたもので、十分な係合力を確保し、且つ横方向のずれを防止しつつ、容易にロックを取り外すことができるロック機構およびそれを用いたプロテクタを提供することを目的とする。
【００１１】
【課題を解決するための手段】
本発明に係る第１のロック機構は、樹脂で形成されてヒンジを介して連結された第１部材と第２部材とを結合するロック機構であって、前記第１部材に一体的に形成されたメス型係止部と、前記第２部材に一体的に形成されて前記メス型係止部に挿入係止されるオス型係止部とを有し、前記オス型係止部は、板状の係止片と、この係止片の先端縁部の板厚方向両面から突出すると共に前記先端縁部に沿った位置を互いに異ならせて形成された第１及び第２の係止爪とを備えてなり、前記メス型係止部は、前記オス型係止部の係止片の先端縁部を収容するスリットを形成する所定間隔を空けて対向配置された第１及び第２の係止壁と、これら第１及び第２の係止壁をそれらの先端縁部から前記スリットを形成する距離だけ離れた位置で連結する連結部と、前記第１及び第２の係止壁の先端縁部の対向面に形成されて前記第１及び第２の係止爪と係合すると共に前記第１及び第２の係止壁の先端縁部に沿った位置を互いに異ならせて形成された第３及び第４の係止爪とを備え、前記メス型係止部の第１及び第２の係止壁の先端縁部の両端の側面よりも前記連結部の側面が内側に位置していることを特徴とする。
【００１２】
本発明に係る第１のプロテクタは、ワイヤーハーネスに外装され、一端がヒンジを介して連結され、他端に相互を結合するロック機構が形成されたプロテクタ本体及びカバーからなり、ワイヤーハーネスに外装されて前記ワイヤーハーネスを支持するプロテクタにおいて、前記ロック機構は、前記プロテクタ本体に一体的に形成されたメス型係止部と、前記カバーに一体的に形成されて前記メス型係止部に挿入係止されるオス型係止部とを有し、前記オス型係止部は、板状の係止片と、この係止片の先端縁部の板厚方向両面から突出すると共に前記先端縁部に沿った位置を互いに異ならせて形成された第１及び第２の係止爪とを備えてなり、前記メス型係止部は、前記オス型係止部の係止片の先端縁部を収容するスリットを形成する所定間隔を空けて対向配置された第１及び第２の係止壁と、これら第１及び第２の係止壁をそれらの先端縁部から前記スリットを形成する距離だけ離れた位置で連結する連結部と、前記第１及び第２の係止壁の先端縁部の対向面に形成されて前記第１及び第２の係止爪と係合すると共に前記第１及び第２の係止壁の先端縁部に沿った位置を互いに異ならせて形成された第３及び第４の係止爪とを備え、前記メス型係止部の第１及び第２の係止壁の先端縁部の両端の側面よりも前記連結部の側面が内側に位置していることを特徴とする。
【００１３】
本発明に係る第２のロック機構は、樹脂で形成されてヒンジを介して連結された第１部材と第２部材とを結合するロック機構であって、前記第１部材に一体的に形成されたメス型係止部と、前記第２部材に一体的に形成されて前記メス型係止部に挿入係止されるオス型係止部とを有し、前記オス型係止部は、板状の係止片と、この係止片の先端縁部の板厚方向両面から突出すると共に前記先端縁部に沿った位置を互いに異ならせて形成された第１及び第２の係止爪とを備えてなり、前記メス型係止部は、前記オス型係止部の係止片の先端縁部を収容するスリットを形成する所定間隔を空けて対向配置された第１及び第２の係止壁と、これら第１及び第２の係止壁をそれらの先端縁部から前記スリットを形成する距離だけ離れた位置で連結する連結部と、前記第１及び第２の係止壁の先端縁部の対向面に形成されて前記第１及び第２の係止爪と係合すると共に前記第１及び第２の係止壁の先端縁部に沿った位置を互いに異ならせて形成された第３及び第４の係止爪とを備え、前記メス型係止部の第１及び第２の係止壁の先端縁部の両端における前記第３及び第４の係止爪の側面の少なくとも一部が前記先端縁部側から前記対向面側にかけて内側に傾斜していることを特徴とする。
【００１４】
本発明に係る第２のプロテクタは、ワイヤーハーネスに外装され、一端がヒンジを介して連結され、他端に相互を結合するロック機構が形成されたプロテクタ本体及びカバーからなり、ワイヤーハーネスに外装されて前記ワイヤーハーネスを支持するプロテクタにおいて、前記ロック機構は、前記プロテクタ本体に一体的に形成されたメス型係止部と、前記カバーに一体的に形成されて前記メス型係止部に挿入係止されるオス型係止部とを有し、前記オス型係止部は、板状の係止片と、この係止片の先端縁部の板厚方向両面から突出すると共に前記先端縁部に沿った位置を互いに異ならせて形成された第１及び第２の係止爪とを備えてなり、前記メス型係止部は、前記オス型係止部の係止片の先端縁部を収容するスリットを形成する所定間隔を空けて対向配置された第１及び第２の係止壁と、これら第１及び第２の係止壁をそれらの先端縁部から前記スリットを形成する距離だけ離れた位置で連結する連結部と、前記第１及び第２の係止壁の先端縁部の対向面に形成されて前記第１及び第２の係止爪と係合すると共に前記第１及び第２の係止壁の先端縁部に沿った位置を互いに異ならせて形成された第３及び第４の係止爪とを備え、前記メス型係止部の第１及び第２の係止壁の先端縁部の両端における前記第３及び第４の係止爪の側面の少なくとも一部が前記先端縁部側から前記対向面側にかけて内側に傾斜していることを特徴とする。
【００１５】
本発明に係る第１のロック機構及びプロテクタによれば、ロック機構を構成するオス型係止部とメス型係止部のうち、メス型係止部の２つの係止壁を連結する連結部の側面が、２つの係止壁の側面よりも内側に奥まっているので、この部分にドライバ等の工具を挿入して第１又は第２の係止壁の係止爪と、オス型係止部の係止爪とを工具でこじることにより、比較的容易にロックを外すことができる。
【００１６】
また、本発明に係る第２のロック機構及びプロテクタによれば、ロック機構を構成するオス型係止部とメス型係止部のうち、メス型係止部の２つの係止壁の先端縁部の両側の側面の少なくとも一方が内側に傾斜しているので、この傾斜部分にドライバ等の工具を挿入して第１又は第２の係止壁の係止爪と、オス型係止部の係止爪とを工具でこじることにより、比較的容易にロックを外すことができる。
【００１７】
【発明の実施の形態】
以下、この発明の好ましい実施の形態を説明する。
図１は、本発明の第１の実施形態に係るロック機構５０を備えたプロテクタ４の構成を示す斜視図及びそのメス型係止部の拡大斜視図である。なお、図１，２において、図４〜図８に示した従来のプロテクタと同一部分には、同一符号を付し、重複する部分の詳しい説明は割愛する。
本実施形態のプロテクタ４が、従来のプロテクタ１と異なる点は、ロック機構５０の特にメス型係止部５０ａの構成にある。側壁１５を構成する内側係止壁１５ａ、外側係止壁１５ｂ、スリット１５ｄ及び張り出し部１５ｅは、従来の内側係止壁１４ａ，外側係止壁１４ｂ、スリット１４ｄ及び張り出し部１４ｅと同様であるが、このメス型係止部５０ａでは、内側係止壁１５ａと外側係止壁１５ｂとを連結する連結部１５ｃの両側面が内側に僅かに後退している。このように連結部１５ｃの両側面が僅かに奥まっていると、図２に示すように、メス型係止部５０ａの係止爪４１，４３の下部と、オス型係止部４０ｂの係止爪４５，４６との間にドライバ５等の工具を差し込むことができ、この工具をこじることにより、係止爪４１，４３と係止爪４５，４６とを係止状態から比較的容易に外すことができる。
【００１８】
図３は、本発明の第２の実施形態に係るロック機構６０を備えたプロテクタ６の要部構成を示す斜視図である。なお、図３において、図４〜図８に示した従来のプロテクタと同一部分には、同一符号を付し、重複する部分の説明は割愛する。
本実施形態のプロテクタ６が従来のプロテクタ１と異なる点は、ロック機構６０の特にメス型係止部６０ａの構成である。側壁１６を構成する内側係止壁１６ａ、外側係止壁１６ｂ、スリット１６ｄ及び張り出し部１６ｅは、従来の内側係止壁１４ａ，外側係止壁１４ｂ、スリット１４ｄ及び張り出し部１４ｅと同様であるが、このメス型係止部６０ａでは、内側係止壁１６ａの先端縁部に形成された係止爪６１の側面が内側に傾斜する傾斜面６１ａとなっている。また、図示してはいないが、これと反対側の外側係止壁１６ｂの先端縁部に形成された係止爪の側面も傾斜面となっている。このようにメス型係止部６０ａの係止壁１６ａ，１６ｂの係止爪の側面の少なくとも一部を傾斜面６１ａとすると、この傾斜面６１ａとオス型係止部４０ｂの係止爪４５，４６との間にドライバ５等の工具を差し込むことができ、この工具をこじることにより、係止爪６１と係止爪４５，４６とを係止状態から比較的容易に外すことができる。
【００１９】
なお、本発明は上述したプロテクタ以外にも、樹脂で形成されてヒンジを介して連結された第１部材及び第２部材を結合するロック機構全般に適用可能である。
【００２０】
【発明の効果】
以上のように、本発明によれば、ロック機構にドライバ等の工具を挿入するスペースを確保して、このスペースに工具を挿入して第１又は第２の係止壁の係止爪と、オス型係止部の係止爪とを工具でこじることにより、十分な係合力を確保し、且つ横方向のずれを防止しつつ、容易にロックを取り外すことができるロック機構およびそれを用いたプロテクタを提供することができる。
【図面の簡単な説明】
【図１】  本発明の第１の実施形態に係るプロテクタの斜視図及び要部の斜視図である。
【図２】  同プロテクタのロック解除時の操作を示す斜視図である。
【図３】  本発明の第２の実施形態に係るプロテクタの要部の斜視図である。
【図４】  従来のプロテクタのロック解除時の斜視図である。
【図５】  従来のプロテクタのロック時の斜視図である。
【図６】  図５のＡ矢視図である。
【図７】  図５のＢ矢視図である。
【図８】  図６のＣ−Ｃ断面図である。
【符号の説明】
１，４，６…プロテクタ、２，３…ワイヤーハーネス、５…ドライバ、１０…プロテクタ本体、１１…ヒンジ、１４ａ，１５ａ，１６ａ…内側係止壁、１４ｂ，１５ｂ，１６ｂ…外側係止壁、１４ｃ，１５ｃ，１６ｃ…連結部、１４ｄ，１５ｄ，１６ｄ…スリット、２０…カバー、３０…アンカー、４０，５０，６０…ロック機構、４０ａ，５０ａ，６０ａ…メス型係止部、４０ｂ，５０ｂ，６０ｂ…オス型係止部、４１，４３，４５，４６…係止爪。
【図１】
0004493877.tif 000002
【図２】
0004493877.tif 000003
【図３】
0004493877.tif 000004
【図４】
0004493877.tif 000005
【図５】
0004493877.tif 000006
【図６】
0004493877.tif 000007
【図７】
0004493877.tif 000008
【図８】
0004493877.tif 000009